(57)【要約】【課題】  従来の先行文献に開示された発明等は、遮光に対する構成が付加されておらず、保存の時間的な欠落、又は使用・効能等の期間の短縮化が問題となること、さらには安全な保存・使用に対しても十分とは考えられない。また各文献に開示された発明等は、構造が複雑であり、コストの上昇と、取り扱いの困難性が考えられる。【構成】  防水性・遮光性の袋に充填される液体で高濃度の二酸化塩素に、高分子吸水体のような水分を保水できる粉、シート等の吸水媒体を入れて、袋を完全に密封し、吸水媒体の保水状態と、劣化回避を可能とした構成であり、密封して吸水媒体に保水された状態で劣化せずに安定した状態で保存可能な殺菌及び脱臭用の二酸化塩素を内蔵する袋である。【選択図】      図1
2005204721.tif 000002
【特許請求の範囲】
【請求項１】
防水性・遮光性の袋と、この袋に充填される液体で高濃度の二酸化塩素と、高分子吸水体のような水分を保水できる粉、シート等の吸水媒体を入れて、当該袋を完全に密封し、この吸水媒体の保水状態と、劣化回避を可能とした構成であって、この袋の密封を介して保水媒体に保水された状態で劣化せずに安定した状態で保存可能な殺菌及び脱臭用の二酸化塩素を内蔵する袋。
【請求項２】
請求項1に記載の袋は、微細孔を備えてなり、この微細孔はシールにより密封されていることを特徴とする殺菌及び脱臭用の二酸化塩素を内蔵する袋。
【請求項３】
請求項1に記載の袋は、アルミニウムで構成したことを特徴とする殺菌及び脱臭用の二酸化塩素を内蔵する袋。
【発明の詳細な説明】
【技術分野】
【０００１】
本発明は、殺菌及び脱臭用の二酸化塩素を内蔵する袋に関する。
【背景技術】
【０００２】
周知の如く、安定化二酸化塩素（ClO2）（以下、二酸化塩素とする）は現在水道水の消毒及び各種野菜等に繁殖する雑菌除去及び消毒、又は食品倉庫に散布又は二酸化塩素ガスとして拡散等することにより、雑菌発生の抑制等を意図して液体状で広く使われている。しかし、この液体状であることと紫外線による劣化が著しい等の資質であることから、一般家庭等では使用できないのが現状である。また近時、開発された前記二酸化塩素は、厚生労働省でもこの有効性を認め、次亜塩素酸ソーダに代わってプール用殺菌剤として0.1〜0.4ppmでの使用、また小麦粉の殺菌・漂白等に関して許可している。また諸外国では、安全性と有効性が確認されており、水道水、航空機内飲料水、食品の殺菌、鮮度維持、各種工場・事業所の排水処理、クリーニング等幅広い用途で使用されている。
【０００３】
そして、この種の安定化二酸化塩素を採用した先行文献としては、次に挙げる発明、考案が存在するので、その概要を順に説明する。
【０００４】
文献（1）は、特開2001-29442の「消臭・腐敗防止・除菌等の薬物体」であり、その概要は、微量の塩素ガスを放出して消臭、殺菌、防カビ、鮮度保持等に使用して好適な消臭・腐敗防止・除菌等の薬物体の提供を意図するものであり、その構成は、不織布等の微細で無数の連通孔を備えた表布と、通気性を有すると共に水分を通さない性質を備えた合成樹脂シートを積層した生地により袋体を形成し、この袋体内にＮ−ビニルアセトアミド重合体架橋物・ケイ酸カルシュウム・その他安定化塩素を吸収できる賦活剤と、安定化二酸化塩素水溶液を入れて密封した銀紙等の密封袋体を入れて密封し、前記密封袋体は押圧によって開口して密封状態の破壊を可能としたことを特徴する。
【０００５】
次に文献（2）は、特開2000-211901の「二酸化塩素含有ゲル状組成物とその製造方法及びその保管方法並びに二酸化塩素含有ゲル状組成物の充填体と二酸化塩素含有ゲル状組成物の充填体収納袋及び二酸化塩素含有ゲル状組成物収納容器」であり、その概要は、二酸化塩素を安定に長時間放出可能で製造及び取り扱いが容易な二酸化塩素含有ゲル状組成物の提供にあり、その構成は、包装材の内側に設けた二酸化塩素透過性の高分子フィルム中に、アルカリ金属塩又はアルカリ土類金属塩である亜塩素酸塩の水溶液を吸収できるポリアクリル酸ナトリウム架橋体又はフマル酸の重合体でなる高吸水性樹脂の二酸化塩素含有ゲル状組成物を充填した後に、前記高分子フィルムを張り合わせて、この二酸化塩素含有ゲル状組成物を包装材中に密封したことを特徴とする。
【０００６】
また文献（3）は、実開平3-126143号の「滅菌・消臭材」であり、その概要は、二酸化塩素を、必要な際にその場で安全に発生しできる特徴を利用して、対象物の滅菌・消臭を効率的に行うことを意図する。その構成は、亜塩素酸塩及び水中でこの亜塩素酸塩と反応して二酸化塩素を発生できる化合物とを密封したガス透過性外袋に、水性溶媒を密封した易破断製の内袋を収容したことを特徴とする。
【０００７】
さらに文献（4）は、実開平3-70137号の「消臭パック」であり、その概要は、どのような使用にも採用できること、またその消臭効果の持続が図れる消臭パックを提供すること等を意図する。その構成は、二酸化塩素ガスを発生する薬剤を、ガス透過性であるが水不透過性の物性を備えたフィルムで製作した袋に封入することを特徴とする。
【０００８】
また文献（5）は、実開昭63-130045号の「消臭剤包装具」であり、その特徴は、水滴の収納袋に付着することを防止し、ガスの透過性の低下を回避すること、袋の破損を回避すること等を意図する。その構成は、安定化二酸化酵素発生組成物を、ガス透過性のある内袋内に充填封入し、この内袋を気液不透過性素材で形成した外袋内に遊挿し、内袋と外袋の上縁辺で固止し、当該外袋の全体を封止し、使用時にこの外袋の下縁部を開口することを特徴とする。
【０００９】
【特許文献１】特開2001-29442
【特許文献２】特開2000-211901
【特許文献３】実開平3-126143号
【特許文献４】実開平3-70137号
【特許文献５】実開昭63-130045号
【発明の開示】
【発明が解決しようとする課題】
【００１０】
前記文献（1）〜（5）に開示された発明・考案は、遮光に対する構成が付加されておらず、食品等の品質、鮮度等を確保できる保存時間が十分とは考えられないこと、又は使用・効能等を確保できる時間的な保証がないこと等が考えられる。さらにこの種の保存用・鮮度確保用の殺菌及び／又は脱臭用パック、消臭剤包装具等の安全な保存・使用に対して、十分とは考えられないことも問題と思われる。
【００１１】
また文献（1）〜（5）に開示された発明・考案は、構造が複雑であり、コストの上昇と、取り扱いの困難性が考えられる。
【課題を解決するための手段】
【００１２】
請求項1の発明は、高濃度二酸化塩素を用いて家庭や食品の輸送手段に殺菌及び脱臭作用を安価で簡単にするための袋（容器）を提供すること、また遮光に対する構成を付加して、保存時間の長期化、又は使用・効能等に対する期間の長期化を図ること、さらに本発明は、高分子吸水体を採用して高濃度二酸化塩素を保存する構成であるので、安全な保存・使用に最適な殺菌及び脱臭用の二酸化塩素を内蔵する袋の提供を意図する。
【００１３】
請求項1は、防水性・遮光性の袋と、この袋に充填される液体で高濃度の二酸化塩素と、高分子吸水体のような水分を保水できる粉、シート等の吸水媒体を入れて、当該袋を完全に密封し、この吸水媒体の保水状態と、劣化回避を可能とした構成であって、この袋の密封を介して保水媒体に保水された状態で劣化せずに安定した状態で保存可能な殺菌及び脱臭用の二酸化塩素を内蔵する袋である。
【００１４】
請求項2の発明は、請求項1の目的を達成すること、又はこの目的を達成するのに最適な袋の提供を意図する。
【００１５】
請求項2は、請求項1に記載の袋は、微細孔を備えてなり、この微細孔はシールにより密封されていることを特徴とする殺菌及び脱臭用の二酸化塩素を内蔵する袋である。
【００１６】
請求項3の発明は、請求項1の目的を達成すること、又はこの目的を達成するとともに、耐光性に優れた袋の提供を意図する。
【００１７】
請求項3は、請求項1に記載の袋は、アルミニウムで構成したことを特徴とする殺菌及び脱臭用の二酸化塩素を内蔵する袋である。
【発明の効果】
【００１８】
請求項1の発明は、防水性・遮光性の袋と、袋に充填される液体で高濃度の二酸化塩素と、高分子吸水体のような水分を保水できる粉、シート等の吸水媒体を入れて、袋を完全に密封し、吸水媒体の保水状態と、劣化回避を可能とした構成であって、この袋の密封を介して保水媒体に保水された状態で劣化せずに安定した状態で保存可能な殺菌及び脱臭用の二酸化塩素を内蔵する袋である。
【００１９】
従って、請求項1は、高濃度二酸化塩素を用いて家庭や食品の輸送手段に殺菌及び脱臭作用を安価で簡単にするための袋(容器)を提供できること、また遮光に対する構成を付加して、保存時間の長期化、又は使用・効能等に対する期間の長期化が図れること、さらに本発明は、高分子吸水体を採用して高濃度二酸化塩素を保存する構成であるので、安全な保存・使用に最適な殺菌及び脱臭用の二酸化塩素を内蔵する袋を提供できること等の特徴がある。
【００２０】
請求項2の発明は、請求項1に記載の袋が、微細孔を備えてなり、微細孔はシールにより密封されていることを特徴とする殺菌及び脱臭用の二酸化塩素を内蔵する袋である。
【００２１】
従って、請求項2は、請求項1の目的を達成できること、又はこの目的を達成するのに最適な袋を提供できること等の特徴がある。
【００２２】
請求項3の発明は、請求項1に記載の袋が、アルミニウムで構成したことを特徴とする殺菌及び脱臭用の二酸化塩素を内蔵する袋である。
【００２３】
従って、請求項3の発明は、請求項1の目的を達成できること、又はこの目的を達成できるとともに、耐光性に優れた袋を提供できること等の特徴がある。
【発明を実施するための最良の形態】
【００２４】
以下、本発明の好ましい一例を説明する。
【００２５】
1は防水性及び／又は遮光性を備えた袋（容器）で、この袋1内には高分子吸水体のような水分を保水できる粉及びシート等でなる保水媒体2（液体状であって、かつ高濃度の二酸化塩素Aを保水できる媒体）が封入されており、またこの袋1は完全に密封シール3をする構造である。これによって、高濃度の二酸化塩素Aは、保水媒体2に保水された状態であって、しかも劣化せずに安定した状態で保存できる。また使用する時には袋1の適宜端部に孔3を開設することで、高濃度の二酸化塩素ガスを安定した状態で、かつ略均一な状態で拡散できる構造の商品として提供できる。尚、袋1に当初より一個又は複数個の孔3を設けた構成では、シール4を剥離することで前述と同効と、長期の収容及び／又は再利用等が図れること、又は容易・簡易な収容及び／又は再利用等が図れること等が可能となり重宝する。
【００２６】
このようにして、袋1の孔3より気化した二酸化塩素ガスが拡散されるので、例えば、食品、容器、薬、布製品、衣類、その他の物等の品物を収容した箱5の中に充満することで、箱5自体及び／又は品物の雑菌の繁殖を防止し、臭気（悪臭）の発生をも防ぐことができる。さらに本発明により図示しない冷蔵庫内の雑菌発生抑制及び脱臭効果が得られる。また生鮮食品を産地より発送する際も食品の劣化を防ぐことができる特徴と、使用の際の安全と、食品に対する衛生面での問題がない袋を提供できること、また耐光性に優れた袋を提供できること等の特徴を備えた画期的商品である。6は、袋開封用の切欠きである。
【図面の簡単な説明】
【００２７】
【図１】本発明の袋の一例を示す一部を欠截した斜視図
【図２】本発明の袋の他の一例を示す一部を欠截した斜視図
【図３】本発明の袋の使用の一例を示す一部を欠截した斜視図
【符号の説明】
【００２８】
1            袋
2            保水媒体
3            孔
4            シール
5            箱
6            袋開封用の切欠き
A            二酸化塩素
【図１】
2005204721.tif 000003
【図２】
2005204721.tif 000004
【図３】
2005204721.tif 000005